(57)【要約】【課題】  原稿の一部に黒べた部があっても、正確に原稿サイズを読み取ることができ、また、原稿の載置位置にかかわらずその原稿サイズを、時間を要することなく読み取る。【解決手段】  装置本体に開閉自在に設けられ、原稿Ａが載置されたプラテンガラス１を覆う原稿押えカバー２と、プラテンガラス１に向けて光を照射する発光手段６−１と、原稿押えカバー２、又は原稿Ａによって反射された発光手段６−１の反射光を受光して信号を出力する受光手段６−２と、受光手段６−２から出力された信号の変化に応じて発光手段６−１により照射された箇所における原稿Ａの有無を検知する原稿検知手段１０−１と、原稿検知手段１０−１による検知結果に基づいて原稿Ａのサイズを割り出す原稿サイズ算出手段１０−２とを備え、原稿押えカバー２は、発光手段６−１から光を受ける面が再帰性反射材からなる。【選択図】        図１
2005134733.tif 000002
【特許請求の範囲】
【請求項１】
装置本体に開閉自在に設けられ、原稿が載置されたプラテンガラスを覆う原稿押えカバーと、
前記プラテンガラスに向けて光を照射する発光手段と、
前記原稿押えカバー、又は前記原稿によって反射された前記発光手段の反射光を受光して信号を出力する受光手段と、
前記受光手段から出力された信号の変化に応じて前記発光手段により照射された箇所における原稿の有無を検知する原稿検知手段と、
前記原稿検知手段による検知結果に基づいて原稿のサイズを割り出す原稿サイズ算出手段とを備え、
前記原稿押えカバーは、前記発光手段から光を受ける面が再帰性反射材からなる
ことを特徴とする画像形成装置。
【請求項２】
前記発光手段と前記受光手段とを有するセンサ本体と、
前記センサ本体を駆動させるセンサ駆動手段とを備え、
前記受光手段が、前記発光手段により照射され前記再帰性反射材により反射された光を受光可能な位置に設けられた
ことを特徴とする請求項１に記載の画像形成装置。
【請求項３】
前記センサ本体の受光手段が、前記プラテンガラス上の原稿載置範囲の一辺の長さよりも長い範囲に備えられ、
前記センサ駆動手段が、前記一辺の長さ方向を中心軸として前記センサ本体を回動させる
ことを特徴とする請求項２に記載の画像形成装置。
【請求項４】
前記センサ駆動手段が、
前記センサ本体を一の方向に駆動させる第一のセンサ駆動部と、
前記センサ本体を前記一の方向とは異なる方向に駆動させる第二のセンサ駆動部とを備えた
ことを特徴とする請求項２に記載の画像形成装置。
【請求項５】
前記センサ本体が、第一センサ及び第二センサを有し、
前記センサ駆動手段が、前記第一センサを駆動させる第一センサ駆動部と、前記第二のセンサを駆動させる第二センサ駆動部とを有し、
前記第二センサ駆動部が、前記第一センサ駆動部により前記第一センサを駆動させる方向と異なる方向に、前記第二センサを駆動させる
ことを特徴とする請求項２のいずれか一項に記載の画像形成装置。
【請求項６】
前記原稿の画像を読み取る画像読み取り部を有したスキャナキャリッジを備え、
前記センサ駆動手段が、前記スキャナキャリッジの画像読み取り方向と異なる方向に前記センサ本体を駆動させる
ことを特徴とする請求項２に記載の画像形成装置。
【発明の詳細な説明】
【技術分野】
【０００１】
本発明は、画像形成装置に関し、より詳しくは、光学センサを利用し、反射部材からの反射光を読み取ることにより原稿サイズを検出する画像形成装置に関する。
【背景技術】
【０００２】
従来の複写機能等を有する画像形成装置においては、プラテンガラス上の片隅の基準位置に載置した原稿のサイズを自動検知することが一般に行われており、この自動検知した原稿サイズの情報に基づいて、複数設けたカセットから原稿に適合した転写紙を選択してコピーを行っている。
原稿サイズの検知には、一般にＣＣＤが利用されているが、このＣＣＤを用いた原稿検知の原理について、図９を用いて説明する。
図９は、従来の画像形成装置における原稿読み取り部の要部構成を示した断面図である。
図９において、原稿読み取り部では、ランプ１０１，投影レンズ１０２，ＣＣＤ１０３，プラテンガラス１０４，原稿押えカバー１０５を有している。なお、この原稿押えカバー１０５のプラテンガラス側の面は光が乱反射しないように鏡面仕上げとなっている。
【０００３】
図９（ａ）は、プラテンガラス１０４上に原稿Ａが載置されていない状態を示しており、この場合には、ランプ１０１からプラテンガラス方向に向けて斜めに照射された光は、原稿押えカバー１０５下面に照射され乱反射せずに矢印Ｇ方向（入射角θ１と反射角θ２を有する方向）へ反射する。このため、投影レンズ１０２，ＣＣＤ１０３には光が入らず、ＣＣＤ１０３では黒画素が検出される。
一方、図９（ｂ）は、プラテンガラス１０４上に原稿Ａが載置されている状態を示しており、この場合には、上記同様にランプ１０１から照射された光は、原稿Ａにより乱反射され、投影レンズ１０２を介してＣＣＤ１０３で光を受け取ることができる。ここで、原稿Ａとして用いられる用紙類は一般に白色が多いため、ＣＣＤ１０３では、白画素が検出される。
したがって、ＣＣＤ１０３により検出された、原稿押えカバー１０５部における黒画素部分と、原稿Ａにおける白画素部分とを判別することにより原稿領域の読み取りを可能としていた。
【０００４】
このような従来の画像形成装置では、投影レンズ１０２，ＣＣＤ１０３等を含む光学素子をスキャナキャリッジ上に搭載させて、このスキャナキャリッジをプラテンガラス１０４の縦方向，横方向、或いは斜め方向に走査させることにより原稿領域を判断していた（例えば、特許文献１参照。）。
【特許文献１】特開平９−２９４１８４号公報（第３，４頁、第５図）
【発明の開示】
【発明が解決しようとする課題】
【０００５】
しかしながら、従来の画像形成装置では、上述したように、ＣＣＤ１０３が原稿押えカバー１０５、或いは原稿Ａからの反射光を読み取ったときの画素の相違によって原稿の有無を判断しているため、例えば、原稿Ａに黒べた部があった場合には、その黒べた部へ照射された光は十分に乱反射されず、ＣＣＤ１０３で光が受け取られない場合があった。このため、この黒べた部では、本来、原稿Ａが載置されているにもかかわらず黒画素が検出され、原稿Ａはないものとして判断されて正常な原稿サイズを検知できないといった問題があった。
【０００６】
また、従来の画像形成装置の中には、原稿サイズの読み取り時間の短縮を図るために、スキャナキャリッジの駆動範囲を最小限に抑えて、原稿の一部分を読み取ることにより原稿サイズを検知する方式のものもあるが、このような場合には、原稿の載置された箇所がプラテンガラスの中央部であった場合に、スキャナキャリッジが原稿位置まで駆動されず、ＣＣＤ１０３では原稿を検知することができない。
したがって、原稿Ａがプラテンガラス上の基準位置以外に載置されている場合には、スキャナキャリッジをプラテンガラス全面に渡って駆動させる必要が生じ、原稿サイズの読み取りに時間を要してしまうといった問題もあった。
【０００７】
本発明は、以上のような問題を解決するためになされたものであり、たとえ原稿の一部に黒べた部があっても、正確に原稿サイズを読み取ることができ、また、原稿の載置位置にかかわらずその原稿サイズを、時間を要することなく読み取ることのできる画像形成装置の提供を目的とする。
【課題を解決するための手段】
【０００８】
上記目的を達成するため、本発明の画像形成装置は、装置本体に開閉自在に設けられ、原稿が載置されたプラテンガラスを覆う原稿押えカバーと、プラテンガラスに向けて光を照射する発光手段と、原稿押えカバー、又は原稿によって反射された発光手段の反射光を受光して信号を出力する受光手段と、受光手段から出力された信号の変化に応じて発光手段により照射された箇所における原稿の有無を検知する原稿検知手段と、原稿検知手段による検知結果に基づいて原稿のサイズを割り出す原稿サイズ算出手段とを備え、原稿押えカバーは、発光手段から光を受ける面が再帰性反射材からなる構成としてある。
【０００９】
画像形成装置をこのような構成にすれば、原稿押えカバーは、発光手段からの光を受ける面が再帰性反射材からなる構成としているので、発光手段からプラテンガラスに向けて照射され、原稿押えカバー下面の再帰性反射材に反射された光は、発光手段に向かって帰される。
したがって、この再帰性反射材からの反射光を読み取ることのできる位置に受光手段を設けておくことにより、再帰性反射材に照射された光は必ず受光手段で受光することができる。
【００１０】
例えば、原稿の一部分に黒べた部があった場合において、この黒べた部に照射された光は乱反射しにくい性質上、殆んど受光手段では光を検知することができないため、従来の画像形成装置では、黒べた部では原稿が載置されていないものと誤った検出をしてしまうことがあった。しかし、再帰性反射材を採用したことにより、再帰性反射材に反射された光は確実に検知することができ、再帰性反射材以外からの反射光との受光率は明らかに異なる。
このため、たとえ原稿の一部に黒べた部があっても、誤検出することなく正確に原稿サイズを読み取ることができる。
【００１１】
さらに、再帰性反射材を用いたことによりどのような角度から入射した光であっても、入射された方向に再帰するため、発光手段自体をわざわざ移動させなくても、定位置で発光手段を回動させながら光の照射箇所を移動させることで、原稿の有無を検知することができる。
このため、原稿の載置位置にかかわらずその原稿サイズを、時間を要することなく読み取ることができる。
しかも、センサ本体を移動させる必要がなく定位置に置かれるため、従来発光手段を移動させていたスペースを有効利用したり、そのスペースを削って小型化を図ることもできる。
【００１２】
また、本発明の画像形成装置は、発光手段と受光手段とを有するセンサ本体と、センサ本体を駆動させるセンサ駆動手段とを備え、受光手段が、発光手段により照射され再帰性反射材により反射された光を受光可能な位置に設けられた構成としてある。
【００１３】
画像形成装置をこのような構成にすれば、発光手段と、その発光手段から照射された反射光を受光する受光手段が同一筐体のセンサ本体に構成され、センサ駆動手段によりこのセンサ本体自体を回動させることができる。
このため、このセンサ駆動手段により駆動される方向の原稿の有無を確実に検知することができる。
【００１４】
また、本発明の画像形成装置は、センサ本体の受光手段が、プラテンガラス上の原稿載置範囲の一辺の長さよりも長い範囲に備えられ、センサ駆動手段が、一辺の長さ方向を中心軸としてセンサ本体を回動させる構成としてある。
【００１５】
画像形成装置をこのような構成にすれば、センサ本体の受光手段が原稿載置範囲の一辺の長さよりも長い範囲に備えられているため、この受光手段が備えられた長手方向の原稿幅は瞬時に読み取ることができる。また、他方の原稿幅は、センサ駆動手段によりセンサ本体が回動されるため検知することができる。
したがって、このような構成によれば、原稿の縦幅、横幅を確実に検知することができるため、正確な原稿サイズを読み取ることができる。
【００１６】
また、本発明の画像形成装置は、センサ駆動手段が、センサ本体を一の方向に駆動させる第一のセンサ駆動部と、センサ本体を一の方向とは異なる方向に駆動させる第二のセンサ駆動部とを備えた構成としてある。
【００１７】
画像形成装置をこのような構成にすれば、第一のセンサ駆動部と第二のセンサ駆動部とを備えたので、センサ本体は二方向へ駆動させることができる。
このため、第一のセンサ駆動部による一の駆動方向への走査で原稿サイズを一種類に絞り込めなかった場合においても、第二のセンサ駆動部による他の駆動方向への走査で原稿サイズを一種類に絞り込み、特定することができる。したがって、より確実に原稿サイズを特定することができる。
【００１８】
また、本発明の画像形成装置は、センサ本体が、第一センサ及び第二センサを有し、センサ駆動手段が、第一センサを駆動させる第一センサ駆動部と、第二のセンサを駆動させる第二センサ駆動部とを有し、第二センサ駆動部が、第一センサ駆動部により第一センサを駆動させる方向と異なる方向に、第二センサを駆動させる構成としてある。
【００１９】
画像形成装置をこのような構成にすれば、それぞれ異なる方向へ駆動する第一センサと第二センサとを備えたことにより、各センサの取り付け位置を自在に選択することで、走査する箇所を任意に選択することができる。
したがって、二方向の走査によりすべての原稿サイズを確実に特定することができる。さらに、二つのセンサによる同時検知も可能であるため、原稿サイズを迅速に特定することが可能である。
【００２０】
また、本発明の画像形成装置は、原稿の画像を読み取る画像読み取り部を有したスキャナキャリッジを備え、センサ駆動手段が、スキャナキャリッジの画像読み取り方向と異なる方向にセンサ本体を駆動させる構成としてある。
【００２１】
画像形成装置をこのような構成にすれば、センサ本体はセンサ駆動手段により駆動される方向以外に、スキャナキャリッジにより移動される方向にも走査することができる。
このため、二方向の走査が可能となり、原稿サイズを一種類に絞り込み特定することができる。したがって、より確実に原稿サイズを特定することができる。
【発明の効果】
【００２２】
本発明によれば、原稿押えカバーは、発光手段からの光を受ける面が再帰性反射材からなるため、発光手段からプラテンガラスに向けて照射された光を、その発光手段に向かって帰すことができる。したがって、この再帰性反射材からの反射光を読み取ることのできる位置に受光手段を設けておくことにより、再帰性反射材に照射された光は必ず受光手段で受光することができ、たとえ原稿の一部に黒べた部があったとしても、受光手段での受光率の相違から、誤検出することなく正確に原稿サイズを読み取ることができる。
また、再帰性反射材を用いたことによりどのような角度から入射した光であっても、入射された方向に再帰するため、発光手段をわざわざ移動させなくても、固定位置から発光手段を回動させる等により光の照射箇所を移動させるだけで、原稿の有無を検知することができる。
このため、原稿の載置位置にかかわらずその原稿サイズを、時間を要することなく読み取ることができる。
【発明を実施するための最良の形態】
【００２３】
以下、本発明の実施形態について図面を参照して説明する。
［第一実施形態］
本発明の第一実施形態に係る画像形成装置における原稿読み取り部の構成について図１を参照して説明する。
図１は、本発明の第一実施形態に係る画像形成装置における原稿読み取り部の構成図である。なお、図１（ａ）は原稿読み取り部の上面からの構成を示しており、図１（ｂ）は原稿読み取り部の側面からの断面構成図を示している。
【００２４】
図１に示すように、原稿読み取り部は、プラテンガラス１、原稿押えカバー２、スキャナキャリッジ３、投影レンズ４、ＣＣＤ（Charge  Coupled  Device）５、センサ本体６を有している。
プラテンガラス１は原稿台であって、上部には画像面を下側にした原稿Ａが、その原稿の先端部を装置本体側の基準位置ｒ（図中のプラテンガラス左上端部）に合わせて載置されている。
原稿押えカバー２は、プラテンガラス１上の原稿Ａを上面から覆い、プラテンガラス１に原稿Ａを密着させている。この原稿押えカバー２のプラテンガラス１側の面、すなわち後述する発光部６−１からの光の受光面はリトロリフレクタ等の再帰性反射材により構成されている。
ここで、再帰性反射材とは、光源から照射された光を受けると、その光を光源方向に再帰させる性質を有する反射材であり、ガラスビーズ反射材，マイクロプリズム反射材等の種類がある。
【００２５】
スキャナキャリッジ３は、キセノンランプ等の露光光源３−１，ミラー群３−２を含む原稿画像読み取り用のユニットであり、図示しないキャリッジ駆動モータ８により、図１に示すキャリッジ移動範囲内で移動する。
投影レンズ４は、スキャナキャリッジ３のミラー群３−２により反射された光をＣＣＤ５へ投影し、画像データを読み取り可能にしている。
ＣＣＤ５は、投影レンズ４により投影された光を結像し、この結像したライン状の光学像を順次電気信号に光電変換する。なお、この光電変換されたアナログ信号は図示しない画像処理部においてデジタル信号に変換され画像データの処理が行われる。
【００２６】
センサ本体６は、発光部（発光手段）６−１と受光部（受光手段）６−２とを有しており、受光部６−２は、発光部６−１が再帰性反射材に対して光を照射した場合に、その反射光を受信できる位置に搭載されている。
発光部６−１は、発光ダイオード（ＬＥＤ）等の発光素子により構成され、原稿押えカバー２のプラテンガラス側の面、すなわち再帰性反射材に向けて光を照射する。
受光部６−２は、フォトダイオード，フォトトランジスタ等の光センサにより構成され、原稿押えカバー２、或いは原稿Ａからの反射光を受光して、光電変換信号を出力する。すなわち、この受光部６−２は、受光する光量に応じた電気量を光電変換信号として出力する。
【００２７】
図２は、本発明の第一実施形態に係る画像形成装置におけるセンサ本体の詳細構成図である。なお、図２（ａ）はセンサ本体の上面から見た構成図を示しており、図２（ｂ）はセンサ本体の側面Ａ（図２（ａ）矢印方向）から見た構成を示した構成図である。
図２において、センサ駆動モータ（センサ駆動手段）７は、ステッピングモータ等からなり、支軸７−１を介してセンサ本体６と接続されている。したがって、センサ本体６は、センサ駆動モータ７が駆動することにより支軸７−１を中心として回動する。
本第一実施形態に係るセンサ本体６は直方体の形状を有しており、図２（ａ）に示すように、発光部６−１と受光部６−２はセンサ本体６の同一平面上に構成されている。なお、このセンサ本体６の形状は直方体に限られず、受光部６−２が、発光部６−１が再帰性反射材に対して光を照射した場合に、その反射光を受信できる位置に搭載されていれば、どのような形状であっても良い。
また、センサ本体６は、図２（ｂ）において矢印で示すように、支軸７−１を中心として回動するが、その回動範囲（センサ本体駆動範囲）は、少なくともプラテンガラス１上に原稿Ａを載置できる原稿載置可能範囲に対して光を照射できる角度に設定されている。
【００２８】
なお、本第一実施形態においては、センサ駆動モータ７は、図１に示すように、スキャナキャリッジ３の側面に支軸７−１が垂直となるように取り付けられている。したがって、センサ駆動モータ７が駆動することにより、センサ本体６はスキャナキャリッジ３の長手方向に回動する。
したがって、センサ本体６は、プラテンガラス１上の基準位置ｒに合わせて載置された原稿Ａを、スキャナキャリッジ３の移動により一辺方向を、また、センサ本体自体の回動により他の一辺方向を走査することができる。
また、本第一実施形態では、センサ駆動モータ７は、スキャナキャリッジ３に取り付けられたセンサ本体６を回動させているが、これに限らず、例えば、センサ本体を回動させずにスキャナキャリッジ３の長手方向に移動させることもできる。
【００２９】
図３は、本第一実施形態に係る画像形成装置の制御ブロック図である。なお、図１と同一の箇所については、同一の符号を付してある。
図３に示すように、画像形成装置は、図１で示した原稿読み取り部の他、操作部９、制御手段１０、プリンタコントローラ１１、印字部１２、搬送ローラ１３を有している。
操作部９は、各種モードの設定キー、及びＬＣＤパネル等を備え、制御手段１０に対する印刷処理の各種設定を行う。
制御手段１０は、原稿検知部（原稿検知手段）１０−１と、原稿サイズ算出部（原稿サイズ算出手段）１０−２とを有している。
【００３０】
原稿検知部１０−１は、受光部６−２から出力された光電変換信号の変化に応じて発光部６−１により照射された箇所における原稿Ａの有無を検知する。
ここで、再帰性反射材により反射された光と、原稿Ａにより反射された光の違いについて、図４を参照しながら簡単に説明する。
【００３１】
図４は、本第一実施形態に係る画像形成装置の反射光の経路を示した模式図である。なお、図４（ａ）は、発光部から照射された光が原稿Ａに反射した場合、図４（ｂ）は、発光部から照射された光が原稿押えカバーに反射した場合を示している。
図４（ａ）において、発光部６−１により原稿Ａに照射された光は、従来技術でも述べたように乱反射する。したがって、センサ本体６の受光部６−２では、乱反射した反射光の一部が検知される。
一方、図４（ｂ）において、発光部６−１により原稿押えカバー２の再帰性反射材により形成された面に照射された光は、再帰性反射材の性質上、光が入射してきた方向へ反射されるため、発光部６−１から照射された光の殆んどは受光部６−２で検知される。
このように、受光部６−２で受光される反射光は、その反射光が再帰性反射材によるものと、原稿Ａによるものとで、光量が大きく異なる。
【００３２】
したがって、原稿検知部１０−１は、上述のような反射光の光量を受光部６−２により出力される光電変換信号の電気量により読み取ることにより、光の照射箇所における原稿Ａの有無を検知することができる。
すなわち、上述したように、反射光は再帰性反射材によるものと、原稿Ａによるものとで光量が大きく異なることから、例えば、発光部６−１から照射された光の光量を１００％とした場合に、その９０％の光量に対応する電気量を閾値として原稿検知部１０−１に設定し、保持させる。
これにより、原稿検知部１０−１は、受光部６−２により出力された光電変換信号による電気量が閾値より大きい値であれば、その受光部６−２により受光された反射光は、再帰性反射材によるものであると判別することができ、その箇所には原稿Ａが無いことが検知される。これに対して、電気量が閾値を下回る値であれば、その受光部６−２により受光された反射光は、原稿Ａによるものであると判別することができ、その箇所には原稿Ａが在ることが検知される。
【００３３】
原稿サイズ算出部１０−２は、原稿検知部１０−１による検知結果に基づいて原稿Ａのサイズを割り出す。すなわち、原稿検知部１０−１は、図１に示すようにスキャナキャリッジ３に支軸７−１を介して固定されているため、同図に示すスキャナキャリッジ移動範囲でセンサ本体６の発光部６−１が原稿押えカバー２に対して光を照射し、受光部６−２がその反射光を受け取ることができる。
また、スキャナキャリッジ３の移動距離は、キャリッジ駆動モータ８の回転数を読み取ることにより換算することができる。
したがって、原稿サイズ算出部１０−２は、スキャナキャリッジ３の移動距離と、原稿検知部１０−１から検知されている原稿Ａの有無を関連付けることにより、原稿Ａについてスキャナキャリッジ駆動方向の原稿幅を算出する。
【００３４】
一方、原稿サイズ算出部１０−２は、スキャナキャリッジ３に取り付けられたセンサ本体６をセンサ駆動モータ７により回動させることにより、もう一方の原稿幅を読み取っている。この原稿幅の読み取りにおいても、センサ駆動モータ７の回転数と、原稿検知部１０−１から検知されている原稿Ａの有無を関連付けることにより、原稿Ａについてもう一方の原稿幅を算出することができる。
したがって、原稿サイズ算出部１０−２は、原稿Ａの各辺の原稿幅を算出することにより、原稿サイズを特定し、プリントコントローラ１１等へ原稿Ａのサイズ情報を出力する。
【００３５】
プリントコントローラ１１は、印字部１２、搬送ローラ１３を制御している。したがって、原稿サイズ算出部１０−２により原稿Ａのサイズ情報を受け取ると、この原稿サイズに対してＣＣＤ５に読み取られた画像データを印字するように印字部１２を制御し、また、サイズ情報に適応した用紙を給紙段に設置された複数の用紙から選択して印字部１２へ搬送するために、搬送ローラ１３を制御する。
【００３６】
以上のように、本第一実施形態に係る画像形成装置によれば、原稿押えカバー２は、発光部６−１からの光を受ける面が再帰性反射材からなる構成としているので、発光部６−１からプラテンガラス１に向けて照射され、原稿押えカバー２の再帰性反射材に反射された光は、発光部６−１に向かって帰される。このため、この再帰性反射材からの反射光を読み取ることのできる位置に受光部６−２を設けておくことにより、再帰性反射材に照射された光は必ず受光部６−２で受光することができる。
【００３７】
また、原稿Ａの一部分に黒べた部があった場合であっても、この黒べた部に照射された光は乱反射しにくい性質上、殆んど受光部６−２では検知することができないが、再帰性反射材に反射された光は確実に検知することができる。すなわち、再帰性反射材からの反射光と、再帰性反射材以外からの反射光とでは、受光部６−２における受光率が明らかに異なる。このため、たとえ原稿Ａの一部に黒べた部があっても、誤検出することなく正確に原稿サイズを読み取ることができる。
【００３８】
さらに、再帰性反射材を用いたことによりどのような角度から入射した光であっても、入射された方向に再帰するため、発光部６−１自体をわざわざ移動させなくても、定位置で発光部６−１を回動させながら光の照射箇所を移動させることで、原稿Ａの有無を検知することができる。
このため、原稿Ａの載置位置にかかわらずその原稿サイズを、時間を要することなく読み取ることができる。
しかも、センサ本体６を移動させる必要がなく定位置に置かれるため、従来発光部を移動させていたスペースを有効利用したり、そのスペースを削って小型化を図ることもできる。
【００３９】
［第二実施形態］
図５は、本発明の第二実施形態に係る画像形成装置における原稿読み取り部の構成図である。なお、図５（ａ）は原稿読み取り部の上面からの構成を示しており、図５（ｂ）は原稿読み取り部の側面からの断面構成図を示している。
なお、同図において、省略されている箇所は図１と共通する。
【００４０】
図５に示すように、センサ本体６の受光部６−２は、プラテンガラス１の一辺方向に渡って、少なくともその方向の原稿載置範囲以上の長い範囲に備えられている。
発光部６−１は、このセンサ本体６の長手方向と同じ又はそれに近い長さを有し、載置された原稿Ａに対して光が十分に照射できる幅を有している。
受光部６−２ａ〜６−２ｎ（以下、略して「受光部６−２」という。）は、センサ本体６の長手方向に複数個備えられ、その配置箇所は少なくともこの長手方向に原稿Ａを載置することのできる幅以上に渡っている。
したがって、あらゆる用紙サイズの検知が可能とされている。ただし、基準位置に載置された定型サイズの原稿からの画像を読み取る場合にあっては、この受光部６−２は各種の定型サイズ原稿の端部を少なくとも検知できる位置に設ければ十分検知可能であるため、設置する個数を制限することができる。
【００４１】
センサ本体６は、長手方向の両端が支軸により装置本体と回動可能に取り付けられており、その支軸７−１の一方、又は双方がセンサ駆動モータ７に連結されている。このセンサ駆動モータ７は、図５（ｂ）に示すように、少なくとも原稿載置幅をカバーできるようにセンサ本体６を回動させている。
【００４２】
以上のように、本第二実施形態に係る画像形成装置によれば、センサ本体６の受光部６−２が原稿載置範囲の一辺の長さよりも長い範囲に備えられているため、この受光部６−２が備えられた長手方向の原稿幅は瞬時に読み取ることができる。また、他方の原稿幅は、センサ駆動モータ７によりセンサ本体６が回動されるため検知することができる。
したがって、このような構成によれば、原稿の縦幅、横幅を確実に検知することができるため、正確な原稿サイズを読み取ることができる。
【００４３】
［第三実施形態］
図６は、本発明の第三実施形態に係る画像形成装置におけるセンサ本体駆動部の構成を示した斜視図である。
図６において、センサ本体６は、上記第一実施形態と同様に支軸７−１ａを介してセンサ駆動モータ（第一のセンサ駆動部）７ａと一の方向に回動可能に接続されている。さらに、本第三実施形態に係るセンサ本体駆動部は、センサ駆動モータ７が新たなセンサ駆動モータ（第二のセンサ駆動部）７ｂに支軸７−１ｂを介して上記一の方向とは異なる方向に回動可能に接続されている。
したがって、本第三実施形態に係る画像形成装置によれば、センサ本体６は二方向への走査が可能となるため、例えば、その二方向をプラテンガラス１上に載置される原稿Ａの各辺方向とすることで、原稿サイズを読み取ることができる。
【００４４】
なお、本第三実施形態では、支軸７−１ｂは、センサ駆動モータ７ａに接続する構成として説明したが、これに限るものではなく、例えば、センサ駆動モータ７ａが筐体に格納されている場合には、この筐体自体に支軸７−１ｂを接続してセンサ駆動モータ７ｂの駆動により筐体自体を回動させても良い。
また、各センサ駆動モータ７ａ，７ｂの回動範囲は、上記第一又は第二実施形態と同様に、少なくとも原稿載置範囲以上をカバーできる範囲にする必要がある。
【００４５】
以上のように、本第三実施形態に係る画像形成装置によれば、センサ駆動モータ７ａ、及びセンサ駆動モータ７ｂを備えたので、センサ本体６は二方向へ駆動させることができる。このため、センサ駆動モータ７ａによる一の駆動方向への走査で原稿サイズを一種類に絞り込めなかった場合においても、センサ駆動モータ７ｂによる他の駆動方向への走査で原稿サイズを一種類に絞り込み、特定することができる。したがって、より確実に原稿サイズを特定することができる。
【００４６】
［第四実施形態］
図７は、本発明の第四実施形態に係る画像形成装置における原稿読み取り部の構成図である。なお、図７は原稿読み取り部の上面からの構成を示している。
なお、同図において、省略されている箇所は図１と共通する。
本第四実施形態に係る画像形成装置は、第一のセンサ本体６ａと、第二のセンサ本体６ｂとを有している。また、図７に示すように、プラテンガラス１が嵌め込まれている装置本体のプラテンガラス接続面の一つには、センサ本体（第一センサ）６ａを支軸７−１ａを介して回動させるセンサ駆動モータ（第一センサ駆動部）７ａが組み込まれ、また、他の接続面にもセンサ本体６ｂを支軸７−１ｂを介して回動させるセンサ駆動モータ（第二センサ駆動部）７ｂが組み込まれている。
すなわち、センサ本体６ａとセンサ本体６ｂとは、取り付けられている接続面が異なるため、その回動方向も異なり，二方向への走査が可能となる。したがって、本第四実施形態においても、他の実施形態と同様に原稿サイズを読み取ることができる。さらに、二つのセンサ本体６ａ，６ｂによる同時検知も可能であるため、原稿サイズを迅速に特定することが可能となる。
なお、各センサ駆動モータ７ａ，７ｂの回動範囲は、上述してきた実施形態と同様に、少なくとも原稿載置範囲以上をカバーできる範囲にする必要がある。
【００４７】
また、上記実施形態では、センサ本体６を２個備える構成に付いて説明したが、これに限るものではなく、２以上のセンサ本体６を原稿Ａの読み取り可能な任意の位置に取り付けて、各センサ本体６が備える発光部６−１からの光の照射位置における原稿Ａの有無を、より厳密に検知して正確な原稿サイズを読み取ることもできる。
さらに、センサ本体６の発光部６−１から照射される光の走査軌跡を考慮すれば、単一のセンサ本体６によっても原稿サイズを特定することが可能である。
【００４８】
図８は、本第四実施形態に係る画像形成装置の原稿読み取り部における発光部による光の走査軌跡を示した模式図である。
図８に示すように、単一のセンサ本体６の発光部６−１からの光の走査が、例えば、プラテンガラス１の対角線となるようにセンサ駆動モータ７及び支軸７−１を取り付ける。ここで、基準位置ｒに載置された所定サイズの用紙が対角線と交わる点は確定しているため、この位置情報を原稿サイズと対応させて原稿サイズ算出部１０−２内のメモリに記憶させておく。
【００４９】
こうすることにより、原稿Ａが載置された際には、センサ本体６に読み取られ、センサ本体６の駆動にしたがってプラテンガラス１上の所定位置における原稿Ａの有無が検知され、原稿Ａの有無の切り換わり位置をもとに、メモリに予め記憶されていた位置情報の中から対応する原稿サイズを抽出し、特定することができる。
【００５０】
以上のように、本第四実施形態に係る画像形成装置によれば、それぞれ異なる方向へ駆動するセンサ本体６ａ，６ｂを備えたことにより、各センサ本体６ａ，６ｂの取り付け位置を自在に選択することにより、走査する箇所を任意に設定することができる。
したがって、二方向の走査によりすべての原稿サイズを確実に特定することができる。さらに、二つのセンサによる同時検知も可能であるため、原稿サイズを迅速に特定することが可能である。
【００５１】
以上、本発明の画像形成装置について、好ましい実施形態を示して説明したが、本発明に係る画像形成装置は、上述した実施形態にのみ限定されるものではなく、本発明の範囲で種々の変更実施が可能であることは言うまでもない。
例えば、上記実施形態１〜４において、プラテンガラス１上に載置される原稿Ａの載置位置が基準位置から離れているような場合であっても、基準位置からの離れ具合（プラテンガラス１の各辺と原稿Ａとの距離）をセンサ本体６を走査することにより検知するとともに、その原稿Ａの載置位置も特定することができる。したがって、上述した実施形態に係る画像形成装置によれば、原稿Ａの載置された位置にかかわらず、その原稿サイズを、時間を要することなく読み取ることができる。
【産業上の利用可能性】
【００５２】
画読み取り部を有するファクシミリ、複写機、複合機等の画像形成装置に好適に利用することができる。
【図面の簡単な説明】
【００５３】
【図１】本発明の第一実施形態に係る画像形成装置における原稿読み取り部の構成図である。
【図２】本発明の第一実施形態に係る画像形成装置におけるセンサ本体の詳細構成図である
【図３】本発明の第一実施形態に係る画像形成装置の制御ブロック図である。
【図４】本発明の第一実施形態に係る画像形成装置の反射光の経路を示した模式図である。
【図５】本発明の第二実施形態に係る画像形成装置における原稿読み取り部の構成図である。
【図６】本発明の第三実施形態に係る画像形成装置におけるセンサ本体駆動部の構成を示した斜視図である。
【図７】本発明の第四実施形態に係る画像形成装置における原稿読み取り部の構成図である。
【図８】本発明の第四実施形態に係る画像形成装置における光の走査経路を示した模式図である。
【図９】従来の画像形成装置における反射光の経路を示した構成図である。
【符号の説明】
【００５４】
１  プラテンガラス
２  原稿押えカバー
３  スキャナキャリッジ
４  投影レンズ
５  ＣＣＤ
６  センサ本体
６−１  発光部（発光手段）
６−２  受光部（受光手段）
７  センサ駆動モータ
８  キャリッジ駆動モータ
９  操作部
１０  制御手段
１０−１  原稿検知部
１０−２  原稿サイズ算出部
１１  プリントコントローラ
１２  印字部
１３  搬送ローラ
１０１  ランプ
１０２  投影レンズ
１０３  ＣＣＤ
１０４  プラテンガラス
１０５  原稿押えカバー
【図１】
2005134733.tif 000003
【図２】
2005134733.tif 000004
【図３】
2005134733.tif 000005
【図４】
2005134733.tif 000006
【図５】
2005134733.tif 000007
【図６】
2005134733.tif 000008
【図７】
2005134733.tif 000009
【図８】
2005134733.tif 000010
【図９】
2005134733.tif 000011